(57)【特許請求の範囲】
【請求項１】
本体に開閉自在に取り付けられた蓋体を有し、該蓋体は、炊飯器を制御する制御部を収容する収容部を有し、該収容部は、前記蓋体表面を覆うシートにより密閉されている炊飯器において、
前記収容部に、前記収容部の内圧が炊飯時の熱により上昇することを防止する内圧上昇防止手段を設けたことを特徴とする炊飯器。
【請求項２】
前記防止手段は、前記収容部の壁面の外側に前記収容部と連通するように設けられて前記内圧に応じて伸縮自在なものであることを特徴とする請求項１に記載の炊飯器。
【請求項３】
前記防止手段は、前記収容部の壁面の一部を構成し前記内圧に応じて伸縮自在な材料からなることを特徴とする請求項１に記載の炊飯器。
【発明の詳細な説明】
【０００１】
【発明の属する技術分野】
本発明は、炊飯器に関する。
【０００２】
【従来の技術】
従来の炊飯器では、炊飯器を制御するための基板などの電気部品は、蓋体内部に設けられた収容部に収容されている。この収容部は、炊飯時の蒸気などが収容部内に侵入しないようにシール部材などにより密閉されている。
【０００３】
【発明が解決しようとする課題】
しかしながら、前記従来の炊飯器は、収容部内の密閉空間内の空気が炊飯時の熱により膨張して、蓋体上面に接着された収容部を密閉するシートが膨らみ外観を損ねたり、さらにはシートが剥がれるなどの問題があった。これを解決するために、シートの接着面積を広く取ることにより剥がれにくくする方法があるが、見映えが悪く、外観が損なわれるという問題がある。また、収容部の外部に連通する小さい穴や細いチューブを設けることにより空間内の空気が膨張したときに外部に連通して内圧が上昇することを防止するという方法もあるが、蒸気が穴やチューブから収容部内に侵入することを完全には防止できないので電気部品に電気的損傷を引き起こすという問題があった。
【０００４】
本発明は、前記従来の問題点に鑑みてなされたもので、制御部を収容する収容部の密閉空間の内圧上昇を防止することができる炊飯器を提供することを課題とする。
【０００５】
【課題を解決するための手段】
前記課題を解決するための手段として、本発明は、
本体に開閉自在に取り付けられた蓋体を有し、該蓋体は、炊飯器を制御する制御部を収容する収容部を有し、該収容部は、前記蓋体表面を覆うシートにより密閉されている炊飯器において、
前記収容部に、前記収容部の内圧が炊飯時の熱により上昇することを防止する内圧上昇防止手段を設けたものである。
【０００６】
前記発明では、内圧上昇防止手段が、収容部の内圧が炊飯時の熱により上昇することを防止するので、シートが内圧の上昇により膨らんだり、蓋体表面から剥がれたりすることがなくなる。また、収容部は、密閉された状態であるので、炊飯時に発生する水蒸気などが収容部内に侵入することがない。
【０００７】
前記防止手段は、前記収容部の壁面の外側に前記収容部と連通するように設けられて前記内圧に応じて伸縮自在なものであることが好ましい。
【０００８】
前記防止手段は、前記収容部の壁面の一部を構成し前記内圧に応じて伸縮自在な材料からなることが好ましい。
【００１０】
【発明の実施の形態】
以下、本発明の実施の形態を添付図面にしたがって説明する。
【００１１】
図１は本発明にかかる炊飯器１を示す。この炊飯器１は、内鍋２と、該内鍋２を収容する本体３と、該本体３に開閉可能に取り付けられた蓋体４とからなる。
【００１２】
前記内鍋２は、熱伝導率が高いアルミ等からなる鍋母材の外面に電磁誘導加熱される強磁性材料をコーティングや接合等を施したものである。
【００１３】
前記本体３は、前記内鍋２を収容可能な有底筒形状に形成されている。この本体３には、加熱手段である誘導加熱コイル（不図示）が設けられている。
【００１４】
前記蓋体４は、前記本体３に開閉可能に取り付けられ、この本体３の開口部を閉塞するもので、上板５と、下板６と、該下板６の底面に着脱可能に取り付けられ内鍋２の開口部を密閉する内蓋７とからなる。そして、この蓋体４の内部には、内鍋２の内部と外部（大気）とを連通する流体通路８が設けられている。
【００１５】
前記上板５には、蒸気を外部（大気）に排気する排気口９が設けられている。また、前記上板５内側に蓋体４内側に突出する収容部１２が設けられている。この収容部１２は、パネル１３で覆われ、該パネル１３の表面には、シート１３ａが、液晶表示板１０の上側から接着剤などにより密封固着されている。
【００１６】
前記収容部１２は、矩形の箱状をなし、内部に液晶表示板１０と該液晶表示板１０の基板１１とが収容されている。図２に示すように、前記収容部１２の底外面１２ａには、前記基板１１の電気ケーブル１４を蓋体４内部に導出する取出口１５を有する。前記取出口１５は、炊飯時に発生する蒸気などが収容部１２内に侵入しないようにシリコンなどからなるシール部材を用いてシールされている。また、底外面１２ａには、ネオプレンゴム等からなる風船１６が、収容部１２内と連通するように設けられている。
【００１７】
前記下板６には、前記内蓋７を前記下板６から取り外すと前記蓋体４を閉じることができなくするロック機構２０が配設される。このロック機構２０の作動部分は、前記収容部１２の近傍において作動する。前記内蓋７には、前記内鍋２の上端縁に圧接して該内鍋２内を密閉するパッキン２１が全周にかけて配設されている。
【００１８】
次に、前記構成からなる炊飯器１の作用について説明する。
【００１９】
炊飯器１の炊飯動作が実行されると、蓋体４内の温度が炊飯調理に伴う熱により上昇し、これとともに収容部１２内の密閉された空間の内圧が上昇する。このとき、風船１６が、図２において２点鎖線で示すように、底外面１２ａ外側に膨張して内圧を低下させる。これにより、シート１３ａが上板５表面から剥がれたり、シート１３ａの一部が膨張することがなくなる。また、収容部１２は、密閉された状態であるので炊飯時に発生する水蒸気などが収容部内に侵入することがない。
【００２０】
また、前記実施形態における変形例として、図３に示すように、風船１６の代わりに、ポリプロピレン、ポリエチレンなどからなる収容部１２内と連通する蛇腹構造１７を設けてもよい。これにより、収容部１２の内圧上昇時には、図３において２点鎖線で示すように、蛇腹構造１７の蛇腹部分が広がり、内圧を低下させることができる。また、収容部１２は、密閉された状態であるので炊飯時に発生する水蒸気などが収容部内に侵入することがない。
【００２１】
さらに、前記実施形態の変形例として、図４に示すように、収容部１２の壁面の一部を、ネオプレンゴム、シリコンゴムなどの伸縮部材１８により形成してもよい。これにより、収容部１２の内圧上昇時には、２点鎖線で示すように、伸縮部材１８が外側に膨張し、内圧を低下させることができる。また、収容部１２は、密閉された状態であるので炊飯時に発生する水蒸気などが収容部内に侵入することがない。
【００２２】
さらに、前記実施形態の変形例として、図５に示すように、収容部１２の壁面の一部を、ポリオレフィン樹脂（ポリエチレン、ポリプロピレンなど）またはフッ素樹脂（ポリテトラフルオロエチレン、ポリフッ化ビニルなど）などの多孔質膜である液体不透過膜（気体は透過するが液体は透過しない膜）からなる膜部材１９から形成してもよい。これにより、収容部１２の内圧上昇時には、収容部１２内の空気が収容部１２の外側に通過することにより、内圧を低下させることができる。また、膜部材１９は液体不透過膜からなるので、収容部１２には、炊飯時に発生する水蒸気などが収容部内に侵入することがない。
【００２３】
【発明の効果】
以上の説明から明らかなように、本発明によれば、内圧上昇防止手段が、収容部の内圧が炊飯時の熱により上昇することを防止するので、シートが内圧の上昇により膨らんだり、蓋体表面から剥がれたりすることがなくなる。また、収容部は、密閉された状態であるので、炊飯時に発生する水蒸気などが収容部内に侵入することがない。
【図面の簡単な説明】
【図１】本発明の実施形態にかかる炊飯器の断面図。
【図２】図１の拡大断面図。
【図３】図２の変形例を示した断面図。
【図４】図２の変形例を示した断面図。
【図５】図２の変形例を示した断面図。
【符号の説明】
３  本体                            ４  蓋体
１  炊飯器                          １１  基板（制御部）
１２  収容部                        １３ａ  シート
１６  風船（内圧上昇防止手段）      １７  蛇腹構造（内圧上昇防止手段）
１８  伸縮部材（内圧上昇防止手段）  １９  膜部材（内圧上昇防止手段）
【図１】
0003599652.tif 000002
【図２】
0003599652.tif 000003
【図３】
0003599652.tif 000004
【図４】
0003599652.tif 000005
【図５】
0003599652.tif 000006